(57)【特許請求の範囲】
【請求項１】
便器上に載置される本体と、
前記本体に起倒自在に枢支された便座と、
人体局部を洗浄する洗浄手段と、
水を静電霧化して生成した帯電微粒子水を前記本体よりトイレルーム空間に放出する静電霧化装置と、
前記トイレルームに入室した人体を検知する人体検知センサと、
前記静電霧化装置を制御する制御部と、を含み、
前記静電霧化装置は、帯電微粒子水を生成する静電霧化ユニットと送風機とを備え、
前記送風機は、強運転と弱運転の切り替えが可能な構成とし、
前記制御部は、前記静電霧化装置を前記人体検知センサが人体を検知していない間に所定時間作動させ、前記静電霧化装置の作動終了時は、前記静電霧化ユニットの作動を停止させた後、所定時間経過後に前記送風機を停止させ、前記静電霧化ユニットと前記送風機を同時に作動させる時は送風機を弱運転し、前記送風機を単独で作動させるときは強運転させることを特徴とする、
衛生洗浄装置。
【請求項２】
便器上に載置される本体と、
前記本体に起倒自在に枢支された便座と、
人体局部を洗浄する洗浄手段と、
水を静電霧化して生成した帯電微粒子水を前記本体よりトイレルーム空間に放出する静電霧化装置と、
前記トイレルームに入室した人体を検知する人体検知センサと、
前記静電霧化装置を制御する制御部と、
前記便器内の空気を吸引し、前記空気に含まれる臭気成分を分解除去する脱臭装置と、
前記脱臭装置と前記静電霧化装置との間で空気を連通させる連通風路と、を含み、
前記脱臭装置は、前記便器内の空気を吸引する吸気口と、前記連通風路と連通する連通口とを備え、
前記静電霧化装置は、帯電微粒子水を生成する静電霧化ユニットと、送風機と、前記連通風路と連通する連通口を備え、
前記静電霧化装置は、前記便器内の空気を前記脱臭装置の吸気口から吸気し、前記脱臭装置の前記連通口と前記連通風路とを介して前記静電霧化装置の前記連通口より吸気し、前記静電霧化ユニットで帯電微粒子水を生成し、トイレルーム空間に放出する構成とし、
前記制御部は、前記静電霧化装置を前記人体検知センサが人体を検知していない間に所定時間作動させ、前記静電霧化装置の作動終了時は、前記静電霧化ユニットの作動を停止させた後、所定時間経過後に前記送風機を停止させることを特徴とする、
衛生洗浄装置。
【発明の詳細な説明】
【技術分野】
【０００１】
本発明はトイレルーム空間の臭気物質の脱臭機能と細菌類の除菌機能を備えた衛生洗浄装置に関するものである。
【背景技術】
【０００２】
従来、この種の衛生洗浄装置は、脱臭および除菌の機能としては、帯電微粒子水を便器内と便器外のトイレルーム空間に放出する静電霧化装置と、トイレルーム内の人体を検知する人体検知手段とを備え、人体検知手段がトイレルームに入室した人体を検知すると静電霧化装置の運転を開始し、使用者がトイレルームから退室して人体検知が終了してから所定時間経過後に静電霧化装置の運転を停止する構成である（例えば、特許文献１参照）。
【先行技術文献】
【特許文献】
【０００３】
【特許文献１】特開２００５−３３６８４４号公報
【発明の概要】
【発明が解決しようとする課題】
【０００４】
しかしながら、前記従来の構成では、使用者がトイレルーム内にいる時に静電霧化装置を運転して便器内とトイレルーム空間に帯電微粒子水を放出するため、静電霧化装置の放電作用に伴って発生するオゾンも同時に放出するため、使用者はオゾン自体が保持する悪臭であるオゾン臭を嗅いで不快を感じることが懸念される。また、静電霧化装置の停止直前に放出された帯電微粒子水とオゾンは放出口の周辺に滞留してトイレルームの広い範囲に拡散されないため、帯電微粒子水の脱臭機能と除菌機能を有効に活用できず、また強いオゾン臭が放出口の近傍に残留することが懸念されるものであり、機能の有効活用と快適性の面で未だ改良の余地があった。
【０００５】
本発明は、前記従来の課題を解決するもので、静電霧化装置で発生した帯電微粒子水と
オゾンをトイレルーム空間に広く拡散し、脱臭機能と除菌機能を有効に活用し、トイレルーム全体の脱臭を効果的に実施するとともに、トイレルームの快適性を維持する衛生洗浄装置を提供することを目的とする。
【課題を解決するための手段】
【０００６】
前記従来の課題を解決するために、本発明の衛生洗浄装置は、便器上に載置される本体と、前記本体に起倒自在に枢支された便座と、人体局部を洗浄する洗浄手段と、水を静電霧化して生成した帯電微粒子水を前記本体よりトイレルーム空間に放出する静電霧化装置と、前記トイレルームに入室した人体を検知する人体検知センサと、前記静電霧化装置を制御する制御部と、を含み、前記静電霧化装置は、帯電微粒子水を生成する静電霧化ユニットと送風機とを備え、前記制御部は、前記静電霧化装置を前記人体検知センサが人体を検知していない間に所定時間作動させ、前記静電霧化装置の作動終了時は、前記静電霧化ユニットの作動を停止させた後、所定時間経過後に前記送風機を停止させることを特徴とする衛生洗浄装置である。
【０００７】
これにより、静電霧化装置で発生した全ての帯電微粒子水とオゾンをトイレルーム空間に広く拡散することが可能となり、静電霧化装置で発生した全ての帯電微粒子水の機能を有効に活用してトイレルーム全体の脱臭と除菌を効果的に実施するとともに、オゾンを拡散して希釈させることにより、オゾン自体が保持する悪臭であるオゾン臭を低下させることが可能となりトイレルームの快適性を維持することができる。
【発明の効果】
【０００８】
本発明の衛生洗浄装置は、トイレルーム全体の脱臭と除菌を効果的に実施するとともに、オゾン臭を低下させてトイレルームの快適性を維持することができる。
【図面の簡単な説明】
【０００９】
【図１】本発明の実施の形態１における衛生洗浄装置の外観を示す斜視図
【図２】本発明の実施の形態１における本体のカバーを取り外した状態の平面図
【図３】本発明の実施の形態１における本体のカバーを取り外した状態の側面図
【図４】本発明の実施の形態１における脱臭装置の断面図
【図５】本発明の実施の形態１における静電霧化装置の断面図
【図６】本発明の実施の形態１における静電霧化装置の静電霧化ユニットの断面図
【図７】本発明の実施の形態１における衛生洗浄装置の各機能の駆動状態を示すタイムチャート
【発明を実施するための形態】
【００１０】
第１の発明は、便器上に載置される本体と、前記本体に起倒自在に枢支された便座と、人体局部を洗浄する洗浄手段と、水を静電霧化して生成した帯電微粒子水を前記本体よりトイレルーム空間に放出する静電霧化装置と、前記トイレルームに入室した人体を検知する人体検知センサと、前記静電霧化装置を制御する制御部と、を含み、前記静電霧化装置は、帯電微粒子水を生成する静電霧化ユニットと送風機とを備え、前記送風機は、強運転と弱運転の切り替えが可能な構成とし、前記制御部は、前記静電霧化装置を前記人体検知センサが人体を検知していない間に所定時間作動させ、前記静電霧化装置の作動終了時は、前記静電霧化ユニットの作動を停止させた後、所定時間経過後に前記送風機を停止させ、前記静電霧化ユニットと前記送風機を同時に作動させる時は送風機を弱運転し、前記送風機を単独で作動させるときは強運転させることを特徴とする。
【００１１】
これにより、静電霧化装置で発生した全ての帯電微粒子水とオゾンをトイレルーム空間に広く拡散することが可能となり、静電霧化装置で発生した全ての帯電微粒子水の機能を有効に活用してトイレルーム全体の脱臭と除菌を効果的に実施するとともに、オゾンを拡
散して希釈させることにより、オゾン自体が保持する悪臭であるオゾン臭を低下させることが可能となりトイレルームの快適性を維持することができる。
【００１２】
また、静電霧化装置の作動終了時における送風機の単独作動は、強運転で実施されるため、静電霧化装置で発生した帯電微粒子水とオゾンをトイレルーム空間のより広い範囲に拡散することが可能となり、脱臭と除菌の効果の拡大とオゾン臭の抑制をより効果的に実施することができる。
【００１３】
第２の発明は、便器上に載置される本体と、前記本体に起倒自在に枢支された便座と、人体局部を洗浄する洗浄手段と、水を静電霧化して生成した帯電微粒子水を前記本体よりトイレルーム空間に放出する静電霧化装置と、前記トイレルームに入室した人体を検知する人体検知センサと、前記静電霧化装置を制御する制御部と、前記便器内の空気を吸引し、前記空気に含まれる臭気成分を分解除去する脱臭装置を備え、前記脱臭装置と前記静電霧化装置との間で空気を連通させる連通風路と、を含み、前記脱臭装置は、前記便器内の空気を吸引する吸気口と、前記連通風路と連通する連通口とを備え、前記静電霧化装置は、帯電微粒子水を生成する静電霧化ユニットと、送風機と、前記連通風路と連通する連通口を備え、前記静電霧化装置は、前記便器内の空気を前記脱臭装置の吸気口から吸気し、前記脱臭装置の前記連通口と前記連通風路とを介して前記静電霧化装置の前記連通口より吸気し、前記静電霧化ユニットで帯電微粒子水を生成し、トイレルーム空間に放出する構成とし、前記制御部は、前記静電霧化装置を前記人体検知センサが人体を検知していない間に所定時間作動させ、前記静電霧化装置の作動終了時は、前記静電霧化ユニットの作動を停止させた後、所定時間経過後に前記送風機を停止させることを特徴とするものである。
【００１４】
これにより、静電霧化装置で発生した全ての帯電微粒子水とオゾンをトイレルーム空間に広く拡散することが可能となり、静電霧化装置で発生した全ての帯電微粒子水の機能を有効に活用してトイレルーム全体の脱臭と除菌を効果的に実施するとともに、オゾンを拡散して希釈させることにより、オゾン自体が保持する悪臭であるオゾン臭を低下させることが可能となりトイレルームの快適性を維持することができる。
【００１５】
また、静電霧化装置は湿度の高い便器内の空気を吸引することが可能となり、帯電微粒子水の生成を効果的に実施できるとともに、脱臭装置に残存する臭気物質を静電霧化装置で脱臭することが可能となり、衛生洗浄装置全体の脱臭効果をより向上することができる。
【００１６】
以下、本発明の実施の形態について、図面を参照しながら説明する。なお、この実施の形態によって本発明が限定されるものではない。
【００１７】
（実施の形態１）
図１は本実施の形態における衛生洗浄装置を便器上に設置した状態の外観の斜視図を示し、図２は衛生洗浄装置の本体のカバーを取り外した状態の平面図を示し、図３は本体のカバーを取り外した状態の左側の側面図を示すものである。
【００１８】
＜１＞衛生洗浄装置の構成
図１に示すように、衛生洗浄装置１００は、本体２００、便蓋２１０、便座２２０、リモートコントローラ３００、人体検知センサ３１０により構成され、本体２００、便蓋２１０、便座２２０は一体で構成され便器１１０の上面に設置される。
【００１９】
なお、本実施の形態においては衛生洗浄装置１００の本体２００の設置側を後方、便座２２０の設置側を前方とし、後方に向かって右側を右側、後方に向かって左側を左側とし
て各構成要素の配置を説明する。
【００２０】
本体２００には、便蓋２１０および便座２２０が便座便蓋回動機構（図示せず）を介して開閉可能に取り付けられている。図１に示すように便蓋２１０を開放した状態においては、便蓋２１０は衛生洗浄装置１００の最後部に位置するように起立する。また、便蓋２１０を閉成すると便座２２０の上面を隠蔽する。便座２２０は便座ヒータ（図示せず）を内蔵しており、便座の着座面が快適な温度になるように加熱する。
【００２１】
本体２００の前面コーナー部には着座検知センサ２３０が設置してある。この着座検知センサ２３０は反射型の赤外線センサであり、人体から反射された赤外線を検出することにより便座２２０上に使用者が存在することを検知する。
【００２２】
本体２００の右側には本体２００と一体に袖部２４０が突出して形成されており、袖部２４０の上面には衛生洗浄装置１００の各機能を操作する複数の操作スイッチ２４１と表示装置２４２が設置されており、袖部２４０の内部には静電霧化装置８００が内蔵されている。
【００２３】
リモートコントローラ３００には、複数の操作スイッチが設けられている。リモートコントローラ３００は便座２２０上に着座した使用者が操作可能なトイレ室の壁面等の場所に取り付けられ、衛生洗浄装置１００の各機能の操作を行う。
【００２４】
人体検知センサ３１０はトイレ室の壁面等に取り付けられる。人体検知センサ３１０は、反射型の赤外線センサであり、人体から反射された赤外線を検出してトイレ室内に使用者が入室したことを検知する。
【００２５】
本発明の衛生洗浄装置１００はトイレ室に使用者が存在しない場合は、便座ヒータへの通電を停止、もしくは２０℃程度の低温に保温している。トイレ室に使用者が入室すると、人体検知センサ３１０からの信号を受け、便座ヒータに通電を行う。便座ヒータは８００Ｗ程度の非常に高出力のヒータであり、使用者がトイレ室に入室してから便座に着座するまでの６秒から１０秒程度の間に、便座２２０の着座面を４０℃程度の適温に温める。便座が適温に達した後は、便座ヒータへの通電を５０Ｗ程度の低ワットに下げて適温を保つ。使用者がトイレルーム内から出ると、便座ヒータへの通電を停止、もしくは２０℃程度の低温保温となる。つまり、トイレルームに使用者がいないときの電力を大幅に削減した便座装置である。
【００２６】
図２は本体２００からカバー２０１を取り外した状態を示すものである。本体２００の内部には、中央部に洗浄ノズルユニット４００が設置されており、本体２００の右側には乾燥装置５００と脱臭装置６００と制御部７００等が設置してある。また、本体２００の左側には、洗浄水供給機構４５０と熱交換器４６０と静電霧化装置８００等が設置してある。洗浄ノズルユニット４００と洗浄水供給機構４５０と熱交換器４６０とで人体局部を洗浄する洗浄手段を構成している。
【００２７】
洗浄水供給機構４５０と熱交換器４６０は洗浄ノズルユニット４００に接続されており、水道配管から供給される洗浄水を熱交換器４６０で加熱した温水を洗浄ノズルユニット４００に供給し、洗浄ノズル４１０から使用者の局部に向けて温水を噴出し、使用者の局部を洗浄するものである。
【００２８】
洗浄ノズルユニット４００は、お尻を洗浄するお尻洗浄ノズル部と女性の局部を洗浄するビデノズル部を有する洗浄ノズル４１０と、洗浄ノズルを本体２００内に収容した収納位置と本体２００から突出して洗浄動作を行う洗浄位置との間を進退移動する駆動手段（
図示せず）と、熱交換器４６０からの洗浄水を洗浄ノズル４１０に切換えて供給する切換弁（図示せず）等が一体に組み込まれている。
【００２９】
乾燥装置５００は、洗浄ノズルユニット４００に近接して設置されている。乾燥装置５００の噴出口は、使用者の局部を効果的に乾燥するため可能な限り本体２００の中央に配置することが望ましく、ケーシング５１０の前方を中央に向けて湾曲させた形状を成している。
【００３０】
乾燥装置５００の後方には制御部７００が、側方には脱臭装置６００が設置されている。脱臭装置６００は、便器１１０内の臭気を吸引するために、吸込口を本体２００の中央に向けて湾曲させて設けてある。
【００３１】
制御部７００は、袖部２４０に設けられた操作スイッチ２４１とリモートコントローラ３００に配置され操作スイッチの操作信号と、人体検知センサ３１０および着座検知センサ２３０から送信される信号に基づいて衛生洗浄装置１００の各部の動作を制御する。
【００３２】
また、上記のような機能部品が配設された本体２００は、カバー２０１を取り付けた状態においては、カバー２０１の内面と各機能部品間には脱臭装置６００と静電霧化装置８００を連通する空洞部（図示せず）が存在しており、空洞部は脱臭装置６００と静電霧化装置８００との連通風路として使用されている。
【００３３】
＜２＞脱臭装置の構成
図４は本体に内蔵された脱臭装置の断面図を示すものである。
【００３４】
脱臭装置６００は風路を形成するダクト６１０と、ダクト６１０の内部に配設され臭気物質を分解する脱臭体６２０と、臭気物質を含む空気を吸引するプロペラタイプの送風機６３０と、排気風路を切り替えるダンパ６４０を主構成部材として構成されている。
【００３５】
ダクト６１０の前端部には便器内に対向する吸気口６１１を開口し、後端部には本体２００の底面と便器１１０との間に設けられた間隙に対向して開口しているに排気口６１２と、ダクト６１０の上面に本体２００内部に対向して開口している連通口６１３が形成されている。ダクト６１０の吸気口６１１側から脱臭体６２０と送風機６３０とダンパ６４０が順次配置されている。
【００３６】
脱臭体６２０は本体２００の外面から着脱自在に装着されており、脱臭体６２０はハニカム状の断面形状をしており、臭気物質を含んだ空気がハニカム孔を通過する間に臭気物質がハニカム孔の壁に吸着し脱臭体６２０の触媒作用により分解除去される。
【００３７】
脱臭体６２０は、シリカ、アルミナ、カーボン等を主成分とするものであり、悪臭の代表とされる腐卵臭の主な臭気物質である硫化水素や、タマネギやキャベツ腐敗臭の臭気物質であるメチルメルカプタン等の臭気物質を触媒作用により分解除去を行う。
【００３８】
送風機６３０はプロペラタイプのファンと直流モータで構成されており、直流モータの回転方向を逆転することにより、送風方向を切り替えることが可能な構成であり、ダクト６１０の吸気口６１１から排気口６１２および連通口６１３向きの送風を「正方向」、反対方向の送風を「逆方向」とする。また、直流モータの回転数を変更することにより、「強」、「弱」の２段階の運転モードに切り替えが可能な構成となっている。
【００３９】
ダンパ６４０はダクトの後端部に設置されており、タイミングモータとギアとクランク等で構成された駆動機構（図示せず）を備えており、排気口６１２と連通口６１３とを制
御部７００の制御により選択的に切り替えることができる。図４において、実線で示したダンパ６４０は排気口６１２が選択されている状態を示すものであり、破線で示したダンパ６４０は連通口６１３が選択されている状態を示すものである。
【００４０】
脱臭装置６００の送風機６３０を駆動すると、便器１１０内の空気が吸気口６１１からダクト６１０内に吸引され、脱臭体６２０のハニカム孔と送風機６３０内を通過し、送風機６３０から吐出された空気はダンパ６４０により選択された排気口６１２あるいは連通口６１３からダクト６１０外に排出される。
【００４１】
ダンパ６４０により排気口６１２が選択されている場合は、排気口６１２から排出された空気は本体２００の底板と便器１１０の上面に形成された間隙を通過して、本体２００の後方に排気される。
【００４２】
一方、ダンパ６４０により連通口６１３が選択されている場合は、連通口６１３から排出された空気は本体２００内に放出される。
【００４３】
この間、脱臭装置６００に吸引された臭気物質を含んだ空気は、脱臭体６２０のハニカム孔を通過する間に、臭気物質がハニカム孔の孔壁に吸着され、脱臭体６２０の触媒作用により臭気物質が分解除去され、脱臭体６２０を通過後の空気は臭気物質を除去されたほとんど無臭状態となる。
【００４４】
送風機６３０送風方向および運転モードと、ダンパ６４０の排気方向の切り替えは、操作スイッチ２４１の操作および人体検知センサ３１０と着座検知センサ２３０の検知信号に基づいて制御部７００によって行われる。
【００４５】
＜３＞静電霧化装置の構成
図５は静電霧化装置の断面図を示し、図６は静電霧化ユニットの正面図を示すものである。
【００４６】
図に示すように静電霧化装置８００は、風路を形成するケース８１０と、ケース８１０の内部に配設され外気を吸引するプロペラタイプの送風機８２０と、帯電微粒子水を生成する静電霧化ユニット８３０とを主構成部材として構成されている。
【００４７】
ケース８１０は後方に送風機８２０を収容する送風機スペース８１１と、中央部に静電霧化ユニット８３０を配置する静電霧化スペース８１２と、前方下方に略Ｌ字型に折れ曲がったダクトスペース８１３が形成されており、ダクトスペース８１３の終端は吐出口８１４として本体２００の前面下方よりルーバ８１５を介して開放されている。
【００４８】
ケース８１０の後端は連通口８１６が設けられている。本体２００にカバー２０１を設置した場合、連通口８１６は本体２００内に配置されることとなり、連通口８１６から吸引される空気は本体２００内の空気であり、本体２００内の空気は主に脱臭装置６００の連通口６１３から排出されたものである。すなわち脱臭装置６００が便器内から吸引して脱臭した空気である。
【００４９】
静電霧化ユニット８３０は図６に示すように、空気中の水分を結露させて水を生成する結露水生成部８３１と、生成された水に電圧を印加する霧化電極８３２と、霧化電極８３２に対向して設けられた対向電極８３３とで構成されている。
【００５０】
結露水生成部８３１は、冷却基板８３５ａと放熱基板８３５ｂとを有するペルチェ素子８３５と、ペルチェ素子８３５の放熱基板８３５ｂに連接されたアルミニウム製の放熱フ
ィン８３６から成る。ペルチェ素子８３５には通電用のリード線８３５ｃとコネクタ８３５ｄが接続されており、コネクタ８３５ｄを介して制御部７００と電気的に接続されておいる。ペルチェ素子８３５には制御部７００により０〜１Ｖ程度の直流電流が印加される。
【００５１】
ペルチェ素子８３５の冷却基板８３５ａには尖鋭形状の霧化電極８３２が設置されており、ペルチェ素子８３５の冷却基板８３５ａに結露した水が霧化電極８３２に搬送される構成となっている。
【００５２】
尖鋭形状の霧化電極８３２と対向する位置に、霧化電極８３２を包囲するように略ドーム状の対向電極８３３が配置されており、霧化電極８３２と対向電極８３３にはそれぞれ通電用の接続端子８３２ａ、８３３ａが設けられており、接続端子８３２ａ、８３３ａを介して制御部７００と電気的に接続されている。霧化電極８３２と対向電極８３３間には制御部７００により約３５００Ｖの直流電流が印加される。
【００５３】
制御部７００が所定の設定条件により静電霧化装置８００の駆動を開始させると、送風機８２０と、ペルチェ素子８３５と、霧化電極８３２と、対向電極８３３への通電が開始される。
【００５４】
送風機８２０はプロペラタイプのファンと直流モータで構成されており、直流モータの回転方向を逆転することにより、送風方向を切り替えることが可能な構成であり、ケース８１０の連通口８１６から吐出口８１４への向きの送風を「正方向」、反対方向の送風を「逆方向」とする。また、直流モータの回転数を変更することにより、「強」、「弱」の２段階の運転モードの切り替えが可能な構成となっている。
【００５５】
「正方向」の運転モードで送風機８２０を駆動した場合は、連通口８１６から本体２００内の空気を吸引して静電霧化ユニット８３０に向けて送風する。本体内の空気は便器内から吸引された湿気の多い空気を脱臭装置６００と連通風路を介して送給されるものであり、本体内に設置された熱交換器４６０やその他の駆動機構等の発熱により、多少昇温された状態のものである。
【００５６】
図６に示すように、静電霧化ユニット８３０に向けて送風された空気は、主にペルチェ素子８３５の冷却基板８３５ａと霧化電極８３２と対向電極８３３の低温部へ向かって送給され帯電微粒子水の生成に使用され、一部は静電霧化ユニット８３０の放熱フィン８３６の高温部に向かって送給されて放熱フィン８３６の放熱に使用される。静電霧化ユニット８３０を通過した空気はダクトスペース８１３で合流して吐出口８１４よりトイレルーム内に放出される。
【００５７】
静電霧化ユニット８３０に送給された空気はペルチェ素子８３５の冷却基板８３５ａに接することにより空気中の水分が結露し結露水が生成される。生成された結露水は霧化電極８３２の表面に送給され、霧化電極８３２と対向電極８３３間に約３５００Ｖの高電圧を印加することで、結露水にレイリー分裂を生じさせ、ナノメートルサイズの帯電微粒子水が発生する。
【００５８】
また、帯電微粒子水の生成にともない、霧化電極８３２と対向電極８３３間の放電を空気中で行うため、空気中の酸素が反応して副生成物としてオゾンが生成される。オゾンは帯電微粒子水と同様に脱臭機能と殺菌および除菌機能を備えたものであるが、特有の悪臭であるオゾン臭を伴うものである。
【００５９】
静電霧化ユニット８３０を通過後の空気は、ナノメートルサイズの帯電微粒子水と副生
成物であるオゾンが含まれたものであり、吐出口８１４よりトイレルーム内に帯電微粒子水とオゾンが放出される。吐出口８１４より放出された帯電微粒子水はトイレルーム空間に飛散してトイレルーム内に浮遊する臭気物質や、壁面や天井面や床面等に付着する。帯電微粒子水はナノメータサイズと非常に小さく壁表面の細孔内部に入り込むことが可能であることから壁表面に付着した臭気物質やカビ類に対しても脱臭効果や防カビ効果が得られるのである。
【００６０】
特に、ナノメータサイズの帯電微粒子水は、アンモニア、アセトアルデヒド、酢酸、メタン、一酸化炭素、一酸化窒素、ホルムアルデヒド等の臭気物質の分解除去を行うことができ、トイレルームの壁面や床面に付着した臭気物質の脱臭を行うことができる。
【００６１】
また、オゾンは帯電微粒子水と同様に脱臭機能と殺菌および除菌機能を備えたものであるが、特有の悪臭であるオゾン臭を伴うものである。オゾン臭はオゾンの濃度が高いほど強くなるため拡散して濃度を下げることにより臭気を低下させることができる。また、オゾンは不安定な分子であるため比較的短時間に酸素分子に自然に変換されて臭気も消滅する。
【００６２】
なお、本実施の形態における静電霧化装置８００の静電霧化ユニット８３０にはペルチェ素子８３５による結露水生成部８３１を備えて空気中から水を供給しているが、水の供給はこの方法に限るものではなく、予め貯水した水を霧化電極に供給する構成でも帯電微粒子水の生成は可能である。
【００６３】
＜４＞衛生洗浄装置の動作および作用
図７は本実施の形態における衛生洗浄装置の各機能の駆動状態を示すタイムチャートである。
【００６４】
使用者がトイレルームに入室し、図のＡ点で示す人体検知センサ３１０が人体を検知した時点で、人体検知センサ３１０の信号により、制御部７００は便座便蓋回動機構を駆動して便蓋２１０を開放するとともに、便座２２０の便座ヒータへの通電を開始して便座２２０の着座面が着座に適した４０℃程度になるように１０秒以内に昇温させ、着座に適した設定温度に保温する。
【００６５】
使用者が便座２２０に着座すると、図のＢ点で示す着座検知センサ２３０が着座を検知した時点で、本体２００の操作スイッチおよびリモートコントローラの操作スイッチにより洗浄機能の操作が可能となるとともに、制御部７００は脱臭装置６００の駆動を開始する。このとき脱臭装置６００の送風機６３０は「正方向」で「強」の運転モードで駆動され、ダンパ６４０は「排気口」に設定されている。
【００６６】
脱臭装置６００の駆動を開始することにより、便器１１０内の臭気を含んだ空気が吸気口６１１からダクト６１０内に吸引され、脱臭体６２０のハニカム孔と送風機６３０を通過してダンパ６４０により排気口６１２に誘引される。排気口６１２から排出された空気は本体２００の底板と便器１１０の上面に形成された間隙を通過して、本体２００の後方から排気される。
【００６７】
この間、脱臭装置６００に吸引された臭気物質を含んだ空気は、脱臭体６２０のハニカム孔を通過する間に、臭気物質がハニカム孔の孔壁に吸着され、脱臭体６２０の触媒作用により臭気物質が分解除去され、脱臭体６２０を通過後の空気は臭気物質を除去されたほとんど無臭状態となり、排気口６１２からトイレルーム内に放出される。
【００６８】
使用者が用便を終了し、便座２２０から立ち上がり、図のＣ点で示す着座検知センサ２
３０が着座の検知を終了した時点で、本体２００の操作スイッチおよびリモートコントローラの操作スイッチにより洗浄機能の操作ができなくなるとともに、便座ヒータの通電は停止して便座２２０はその後降温する。
【００６９】
使用者がトイレルームから退出し、図のＤ点で示す人体検知センサ３１０が人体の検知を終了してから所定時間経過（本実施の形態においては約１分後）した時点で、制御部７００は、便座便蓋回動機構を駆動して便蓋２１０を閉止し、脱臭装置６００の送風機６３０の駆動を「正方向」で「弱」の運転モードに切り替えるとともに、ダンパ６４０を「連通口」に切り替える。
【００７０】
それと同時に、制御部７００は静電霧化装置８００の駆動を開始する。このとき静電霧化装置８００の静電霧化ユニット８３０を駆動した状態で、送風機８２０は「正方向」で「弱」の運転モードで駆動される。
【００７１】
上記のように脱臭装置６００と静電霧化装置８００を連動運転することにより、この時点で便器内には既に汚物はなく無臭に近い湿度の高い便器の空気を脱臭装置６００吸引し、脱臭体６２０を通過させて更に脱臭し連通口６１３から連通風路である本体２００内に放出されて静電霧化装置８００に送給される。静電霧化装置８００に送給される空気は湿度の高い無臭の便器の空気であり、帯電微粒子が生成されやすい条件を備えている。
【００７２】
静電霧化装置８００の吐出口８１４より放出された帯電微粒子水はトイレルーム空間に飛散してトイレルーム内に浮遊する臭気物質や、壁面や天井面や床面等に付着した臭気物質やかび等の菌類を脱臭および除菌を行う。
【００７３】
脱臭装置６００と静電霧化装置８００を連動運転を所定時間（本実施の形態においては約３０分間）運転した後、図のＥ点で示す時点で、制御部７００は脱臭装置６００の運転は継続したままで、静電霧化装置８００の送風機８２０の駆動を「正方向」で「強」に切り替えるとともに、静電霧化ユニット８３０の駆動を停止させた状態で所定時間（本実施の形態においては約１０分間）送風運転を行う。
【００７４】
上記送風運転を行うことにより、トイレルーム内に放出された帯電微粒子水を広い範囲に均等に拡散することができ、トイレルーム内の脱臭と除菌を効果的に実施できるとともに、帯電微粒子水の生成過程で同時に生成されるオゾンを拡散させることにより、トイレルーム内にオゾン臭が滞留することを抑制することができる。
【００７５】
所定時間の送風運転が終了した、図のＦで示す時点で、制御部７００は静電霧化装置８００の送風機８２０の駆動を「逆方向」で「弱」に切り替えるとともに、静電霧化ユニット８３０を駆動させる。また脱臭装置６００の送風機６３０は「逆方向」で「弱」の運転モードで、ダンパ６４０は「連通口」に設定された状態で所定時間（本実施の形態においては約１０分間）連動運転を行う。
【００７６】
上記連動運転を行うことにより、静電霧化装置８００で生成された帯電微粒子水は本体２００の内部および脱臭装置６００の内部に送給され、本体２００の内部や脱臭装置６００の内部に付着している臭気物質やかび等の菌類を帯電微粒子水で分解除去することができ、特に脱臭装置６００の脱臭体６２０の活性化ができるため、脱臭ユニットの寿命を延長することができる。
【００７７】
所定時間の連動運転が終了した、図のＧで示す時点で、制御部７００は静電霧化装置８００の静電霧化ユニット８３０の駆動を停止させ、送風機８２０の駆動を「逆方向」で「弱」の運転モードを継続さセルとともに、脱臭装置６００の送風機６３０は「逆方向」で
「弱」の運転モードで、ダンパ６４０は「連通口」に設定された状態で所定時間（本実施の形態においては約１分間）連動送風運転を行う。
【００７８】
連動送風運転を行うことにより、本体２００内および脱臭装置６００内に滞留したオゾンと湿度の高い空気を排出し、オゾンと高湿度の空気が本体内の機能部品に与える悪影響を除去することができる。
【００７９】
所定時間の連動送風運転が終了した、図のＨで示す時点で、制御部７００は脱臭装置６００と静電霧化装置８００の駆動を停止する。
【００８０】
なお、静電霧化装置８００の駆動中に使用者がトイレルームに入室し、人体検知センサ３１０が人体を検知した場合は、静電霧化装置８００および脱臭装置６００の駆動を停止する。
【００８１】
上記のように、本実施の形態における衛生洗浄装置は、使用者が便座に着座する用便および洗浄動作中は便器内の臭気を脱臭装置により直接脱臭することにより、トイレルーム全体に悪臭が拡散することを抑制し、用便終了後は脱臭装置と静電霧化装置を連動して駆動させることにより、静電霧化装置で生成した帯電微粒子水をトイレルーム空間に放散することにより、トイレルーム空間に浮遊している臭気物質や、壁面、天井面、床面に付着している臭気物質やかびなどの菌類を分解除去することができるため、トイレルーム内の臭気を長期間に亘り抑制することができるものである。
【００８２】
また、脱臭装置と静電霧化装置の送風方向を逆方向に連動して駆動することにより、衛生洗浄装置の本体内部および脱臭装置内部の脱臭および菌類を分解除去するとともに、脱臭装置の脱臭ユニットの活性化により使用期間を延長させることができる。
【００８３】
また、静電霧化装置の作動停止時に、静電霧化ユニットの作動を停止させた後、所定時間経過後に前記送風機を停止させることにより、静電霧化装置で発生した全ての帯電微粒子水とオゾンをトイレルーム空間に広く拡散することが可能となり、静電霧化装置で発生した全ての帯電微粒子水の機能を有効に活用してトイレルーム全体の脱臭と除菌を効果的に実施するとともに、オゾンを拡散して希釈させることにより、オゾン自体が保持する悪臭であるオゾン臭を低下させることが可能となりトイレルームの快適性を維持することができる。
【００８４】
なお、本実施の形態においては、脱臭装置と静電霧化装置の送風機はいずれも「強」、「弱」２段階の運転モードの切り替えが可能な構成としたが、これに限るものではなく、脱臭装置と静電霧化装置のいずれか一方または両方の送風機は、常時一定の強さで運転されるものであっても脱臭および除菌の基本的な機能を発揮させることはできる。特に静電霧化ユニットの運転終了後に実施する送風機のみの送風運転においては、運転時間を延長することにより近似の効果を得ることができる。
【００８５】
また、本実施の形態においては、本体内の空洞部を連通風路として使用したが、これに限るものではなく、専用のダクトを配置して連通風路として使用してもよい。
【００８６】
また、本実施の形態においては、脱臭装置と静電霧化装置の間に連通風路を設けて、脱臭装置と静電霧化装置を連動運転する構成としたが、脱臭装置と静電霧化装置の構成はこれに限るものではなく、脱臭装置は専用の吸気口と排気口を備え、静電霧化装置は専用の吸気口と吐出口を備えた構成とし、脱臭装置と静電霧化装置を個別に運転させた場合においても、脱臭装置と静電霧化装置の脱臭機能と殺菌および除菌機能を発揮させることはできる。
【００８７】
（実施の形態２）
本実施の形態における衛生洗浄装置１００の構成は実施の形態１と同様であるが、実施の形態１と異なるのは脱臭装置６００と静電霧化装置８００の駆動のパターンである。
【００８８】
実施の形態１においては脱臭装置６００と静電霧化装置８００の運転は人体検知センサ３１０と着座検知センサ２３０の検知信号に基づいて制御されていたが、本実施の形態においてはそれに加えてタイマ機能に基づいて脱臭装置６００と静電霧化装置８００が制御される機能を付加した点である。
【００８９】
制御部７００は２４時間カウントのタイマ機能を備えており、あらかじめ設定された時刻に脱臭装置６００と静電霧化装置８００の駆動を実施する。駆動パターンは図７に示すＤ時点からＨ時点までの駆動と同じパターンである。
【００９０】
運転を開始する時刻は基本的には衛生洗浄装置１００が使用されない深夜の時間が設定される。この運転開始時刻はリモートコントローラ３００のスイッチ操作により設定を変更することが可能である。
【００９１】
上記のような駆動を追加することにより、例えば長期間にわたり衛生洗浄装置１００を使用しない場合でも、脱臭装置６００と静電霧化装置８００が１日に１度は駆動されるため、トイレルーム内や本体２００内に臭気物質が繁殖することを抑制することができ、トイレルーム内の臭気を長期間に亘りより確実に抑制することができる。
【００９２】
なお、本実施の形態においては、運転開始時刻はタイマ機能により所定の時刻を設定したが、これに限るものではなく、例えば制御部７００が学習機能を備え、衛生洗浄装置１００が使用されない時刻を蓄積し、そのデータに基づいて運転開始時刻を設定してもよい。
【００９３】
また、運転開始時刻を２４時間単位で設定するのではなく、衛生洗浄装置１００が長時間使用されない場合、例えば、人体検知センサ３１０が人体検知を終了した後、４８時間以内に再使用されない場合に脱臭装置６００と静電霧化装置８００の駆動を開始するようにしてもよい。これにより必要以上に脱臭装置６００と静電霧化装置８００駆動することがなく、省エネルギーの効果を得ることができる。
【産業上の利用可能性】
【００９４】
以上のように、本発明にかかる衛生洗浄装置は静電霧化装置の作動停止時における帯電微粒子水の有効活用とオゾン臭の抑制が可能となるので、衛生洗浄装置以外の脱臭装置等の用途にも適用できる。
【符号の説明】
【００９５】
１００  衛生洗浄装置
１１０  便器
２００  本体
２２０  便座
２３０  着座検知センサ
３１０  人体検知センサ
４００  洗浄ノズルユニット（洗浄手段）
４５０  洗浄水供給機構（洗浄手段）
４６０  熱交換器（洗浄手段）
６００  脱臭装置
６１１  吸気口
６１３  連通口
７００  制御部
８００  静電霧化装置
８１６  連通口
８２０  送風機
８３０  静電霧化ユニット
【図１】
0005938567.tif 000002
【図２】
0005938567.tif 000003
【図３】
0005938567.tif 000004
【図４】
0005938567.tif 000005
【図５】
0005938567.tif 000006
【図６】
0005938567.tif 000007
【図７】
0005938567.tif 000008